(57)【特許請求の範囲】
【請求項１】
動画データに含まれる複数の画像データを順次取得する画像取得部と、該画像取得部が取得した画像データに基づく画像を順次表示する表示部とを有する表示装置において、
人の顔の略実物大の大きさを特定する特定部と、
前記画像の中央部から順に前記画像中に存在する人の顔領域を逐次検出する顔検出部と、
該顔検出部が前記顔領域を一つ検出した時点で、検出した顔領域を前記表示部に表示させた場合の大きさを算出する大きさ算出部と、
該大きさ算出部が算出した顔領域の大きさ、及び、前記特定部が特定した大きさに基づいて、前記顔検出部が検出した顔領域を、前記特定部が特定した大きさに変倍するための変倍率を算出する算出部と、
前記顔検出部が前記顔領域を検出した場合、前記算出部が算出した変倍率での変倍処理を、前記画像取得部が取得した画像データに対して行い、前記顔検出部が前記顔領域を検出できない場合、前記画像取得部が先に取得した画像データに基づく画像中の顔領域に基づいて前記算出部が算出した変倍率での変倍処理を、前記画像取得部が取得した画像データに対して行う変倍処理部と、
該変倍処理部が変倍処理を行った画像データに基づく画像を前記表示部に表示させる表示制御部と
を備えることを特徴とする表示装置。
【請求項２】
人の顔の略実物大の大きさを記憶する記憶部を備え、
前記特定部は、人の顔の略実物大の大きさを前記記憶部から読み出すようにしてあることを特徴とする請求項１に記載の表示装置。
【請求項３】
前記記憶部は、性別及び／又は年齢層に応じて、人の顔の略実物大の大きさを記憶しており、
前記顔検出部が顔領域を検出した人の性別及び／又は年齢層を検出する性別／年齢層検出部を備え、
前記特定部は、前記性別／年齢層検出部が検出した性別及び／又は年齢層の人の顔の略実物大の大きさを前記記憶部から読み出すようにしてあることを特徴とする請求項２に記載の表示装置。
【請求項４】
前記変倍処理部は、前記顔検出部が前記顔領域を検出した場合、前記顔検出部が検出した顔領域を中央にして、前記画像データに変倍処理を行うようにしてあることを特徴とする請求項１から３までのいずれかひとつに記載の表示装置。
【請求項５】
前記表示部の表示領域の大きさ及び前記表示領域に含まれる画素数を記憶する表示情報記憶部を備え、
前記顔検出部は、前記画像中に存在する人の顔領域に含まれる画素を検出するようにしてあり、
前記大きさ算出部は、前記表示情報記憶部に記憶してある前記表示領域の大きさ及び画素数と、前記顔検出部が検出した画素の数とに基づいて、前記顔検出部が検出した顔領域を前記表示部に表示させた場合の大きさを算出するようにしてあることを特徴とする請求項１から４までのいずれかひとつに記載の表示装置。
【請求項６】
表示装置が、動画データに含まれる複数の画像データを順次取得し、取得した画像データに基づく画像を順次表示する表示方法において、
人の顔の略実物大の大きさを特定する特定ステップと、
前記画像の中央部から順に前記画像中に存在する人の顔領域を逐次検出する顔検出ステップと、
該顔検出ステップで前記顔領域を一つ検出した時点で、検出した顔領域を前記表示装置に表示させた場合の大きさを算出する大きさ算出ステップと、
該大きさ算出ステップで算出した顔領域の大きさ、及び、前記特定ステップで特定した大きさに基づいて、前記顔検出ステップで検出した顔領域を、前記特定ステップで特定した大きさに変倍するための変倍率を算出する算出ステップと、
前記顔検出ステップで前記顔領域を検出した場合、前記算出ステップで算出した変倍率での変倍処理を、前記取得した画像データに対して行い、前記顔検出ステップで前記顔領域を検出できない場合、先に取得した画像データに基づく画像中の顔領域に基づいて前記算出ステップで算出した変倍率での変倍処理を、前記取得した画像データに対して行う変倍処理ステップと、
変倍処理を行った画像データに基づく画像を表示させるステップと
を含むことを特徴とする表示方法。
【請求項７】
請求項１から５までのいずれかひとつに記載の表示装置と、
テレビジョン放送を受信する受信部とを備え、
前記受信部にて受信したテレビジョン放送に基づいて、前記表示装置に映像を表示するようにしてあることを特徴とするテレビジョン受信機。
【請求項８】
動画データに含まれる複数の画像データを順次取得する画像取得部と、該画像取得部が取得した画像データを順次表示装置へ送出して前記表示装置に表示させる表示制御部とを備える表示制御装置において、
人の顔の略実物大の大きさを特定する特定部と、
前記画像データに基づく画像の中央部から順に前記画像中に存在する人の顔領域を逐次検出する顔検出部と、
該顔検出部が前記顔領域を一つ検出した時点で、検出した顔領域を前記表示装置に表示させた場合の大きさを算出する大きさ算出部と、
該大きさ算出部が算出した顔領域の大きさ、及び、前記特定部が特定した大きさに基づいて、前記顔検出部が検出した顔領域を、前記特定部が特定した大きさに変倍するための変倍率を算出する算出部と、
前記顔検出部が前記顔領域を検出した場合、前記算出部が算出した変倍率での変倍処理を、前記画像取得部が取得した画像データに対して行い、前記顔検出部が前記顔領域を検出できない場合、前記画像取得部が先に取得した画像データに基づく画像中の顔領域に基づいて前記算出部が算出した変倍率での変倍処理を、前記画像取得部が取得した画像データに対して行う変倍処理部とを備え、
前記表示制御部は、前記変倍処理部が変倍処理を行った画像データを前記表示装置へ送出するようにしてあることを特徴とする表示制御装置。
【請求項９】
前記表示装置に関する情報に対応付けて、前記表示装置の表示領域の大きさ及び前記表示領域に含まれる画素数を含む表示情報を記憶する表示情報記憶部と、
前記表示装置に関する情報を取得する装置情報取得部と、
該装置情報取得部が取得した情報に対応する表示情報を前記表示情報記憶部から取得する表示情報取得部とを備え、
前記顔検出部は、前記画像中に存在する人の顔領域に含まれる画素を検出するようにしてあり、
前記大きさ算出部は、前記表示情報取得部が取得した表示情報と、前記顔検出部が検出した画素の数とに基づいて、前記顔検出部が検出した顔領域を前記表示装置に表示させた場合の大きさを算出するようにしてあることを特徴とする請求項８に記載の表示制御装置。
【発明の詳細な説明】
【技術分野】
【０００１】
本発明は、外部から取得した画像データに基づく画像を表示する表示装置及び表示方法、前記表示装置を備えたテレビジョン受信機、及び外部から取得した画像データを表示装置へ送出して表示装置に表示させる表示制御装置に関する。
【背景技術】
【０００２】
テレビジョン受信機及びモニタ装置等に設けられる表示装置の大画面化が進み、表示画面サイズが、人物等を実物大（実サイズ）で表示できる大きさとなりつつある。また、今後更なる大画面化が進むことも考えられる。
このような大画面の表示領域全体に静止画及び動画等の画像及び映像が表示された場合、人物等が実物大以上の大きさで表示される可能性がある。人物等を実物大以上の大きさで表示した場合、特に表示画面の近傍で視聴するユーザにとっては見辛い画像となる虞が高く、実物大に縮小して表示することを望まれる可能性が考えられる。
【０００３】
特許文献１では、商品（物体）を撮像して得られた映像情報に、前記商品の撮像面での実サイズ情報を付加して送信することにより、受信側で、前記商品を実サイズと同じ大きさで表示できる技術が提案されている。特許文献１に開示された技術は、映像情報に基づいて前記商品を再生する際に、受信した実サイズ情報及び表示手段のサイズ情報に基づいて前記映像情報を拡大又は縮小することにより、実サイズと同じ大きさで商品を表示する構成である。
【先行技術文献】
【特許文献】
【０００４】
【特許文献１】特開２００２−１９９３５８号公報
【発明の概要】
【発明が解決しようとする課題】
【０００５】
特許文献１に開示された技術では、映像情報の送信側の装置が、実サイズ情報を生成して映像情報に付加する構成を備える必要があるという問題を有する。即ち、実サイズ情報が付加されていない映像情報を表示する場合には、映像中の物体を実サイズと同じ大きさで表示させることはできないという問題がある。
【０００６】
本発明はかかる事情に鑑みてなされたものである。その目的とするところは、略実物大で表示するための付加情報が必要なく、取得した画像データに基づく処理によって、画像中の被写体を略実物大で表示することが可能な表示装置、表示方法、テレビジョン受信機及び表示制御装置を提供することにある。
【課題を解決するための手段】
【０００７】
本発明に係る表示装置は、動画データに含まれる複数の画像データを順次取得する画像取得部と、該画像取得部が取得した画像データに基づく画像を順次表示する表示部とを有する表示装置において、人の顔の略実物大の大きさを特定する特定部と、前記画像の中央部から順に前記画像中に存在する人の顔領域を逐次検出する顔検出部と、該顔検出部が前記顔領域を一つ検出した時点で、検出した顔領域を前記表示部に表示させた場合の大きさを算出する大きさ算出部と、該大きさ算出部が算出した顔領域の大きさ、及び、前記特定部が特定した大きさに基づいて、前記顔検出部が検出した顔領域を、前記特定部が特定した大きさに変倍するための変倍率を算出する算出部と、前記顔検出部が前記顔領域を検出した場合、前記算出部が算出した変倍率での変倍処理を、前記画像取得部が取得した画像データに対して行い、前記顔検出部が前記顔領域を検出できない場合、前記画像取得部が先に取得した画像データに基づく画像中の顔領域に基づいて前記算出部が算出した変倍率での変倍処理を、前記画像取得部が取得した画像データに対して行う変倍処理部と、該変倍処理部が変倍処理を行った画像データに基づく画像を前記表示部に表示させる表示制御部とを備えることを特徴とする。
【０００８】
本発明に係る表示装置は、人の顔の略実物大の大きさを記憶する記憶部を備え、前記特定部は、人の顔の略実物大の大きさを前記記憶部から読み出すようにしてあることを特徴とする。
【０００９】
本発明に係る表示装置は、前記記憶部は、性別及び／又は年齢層に応じて、人の顔の略実物大の大きさを記憶しており、前記顔検出部が顔領域を検出した人の性別及び／又は年齢層を検出する性別／年齢層検出部を備え、前記特定部は、前記性別／年齢層検出部が検出した性別及び／又は年齢層の人の顔の略実物大の大きさを前記記憶部から読み出すようにしてあることを特徴とする。
【００１０】
本発明に係る表示装置は、前記変倍処理部は、前記顔検出部が前記顔領域を検出した場合、前記顔検出部が検出した顔領域を中央にして、前記画像データに変倍処理を行うようにしてあることを特徴とする。
【００１１】
本発明に係る表示装置は、前記表示部の表示領域の大きさ及び前記表示領域に含まれる画素数を記憶する表示情報記憶部を備え、前記顔検出部は、前記画像中に存在する人の顔領域に含まれる画素を検出するようにしてあり、前記大きさ算出部は、前記表示情報記憶部に記憶してある前記表示領域の大きさ及び画素数と、前記顔検出部が検出した画素の数とに基づいて、前記顔検出部が検出した顔領域を前記表示部に表示させた場合の大きさを算出するようにしてあることを特徴とする。
【００１２】
本発明に係る表示方法は、表示装置が、動画データに含まれる複数の画像データを順次取得し、取得した画像データに基づく画像を順次表示する表示方法において、人の顔の略実物大の大きさを特定する特定ステップと、前記画像の中央部から順に前記画像中に存在する人の顔領域を逐次検出する顔検出ステップと、該顔検出ステップで前記顔領域を一つ検出した時点で、検出した顔領域を前記表示装置に表示させた場合の大きさを算出する大きさ算出ステップと、該大きさ算出ステップで算出した顔領域の大きさ、及び、前記特定ステップで特定した大きさに基づいて、前記顔検出ステップで検出した顔領域を、前記特定ステップで特定した大きさに変倍するための変倍率を算出する算出ステップと、前記顔検出ステップで前記顔領域を検出した場合、前記算出ステップで算出した変倍率での変倍処理を、前記取得した画像データに対して行い、前記顔検出ステップで前記顔領域を検出できない場合、先に取得した画像データに基づく画像中の顔領域に基づいて前記算出ステップで算出した変倍率での変倍処理を、前記取得した画像データに対して行う変倍処理ステップと、変倍処理を行った画像データに基づく画像を表示させるステップとを含むことを特徴とする。
【００１３】
本発明に係るテレビジョン受信機は、上述したいずれかの表示装置と、テレビジョン放送を受信する受信部とを備え、前記受信部にて受信したテレビジョン放送に基づいて、前記表示装置に映像を表示するようにしてあることを特徴とする。
【００１４】
本発明に係る表示制御装置は、動画データに含まれる複数の画像データを順次取得する画像取得部と、該画像取得部が取得した画像データを順次表示装置へ送出して前記表示装置に表示させる表示制御部とを備える表示制御装置において、人の顔の略実物大の大きさを特定する特定部と、前記画像データに基づく画像の中央部から順に前記画像中に存在する人の顔領域を逐次検出する顔検出部と、該顔検出部が前記顔領域を一つ検出した時点で、検出した顔領域を前記表示装置に表示させた場合の大きさを算出する大きさ算出部と、該大きさ算出部が算出した顔領域の大きさ、及び、前記特定部が特定した大きさに基づいて、前記顔検出部が検出した顔領域を、前記特定部が特定した大きさに変倍するための変倍率を算出する算出部と、前記顔検出部が前記顔領域を検出した場合、前記算出部が算出した変倍率での変倍処理を、前記画像取得部が取得した画像データに対して行い、前記顔検出部が前記顔領域を検出できない場合、前記画像取得部が先に取得した画像データに基づく画像中の顔領域に基づいて前記算出部が算出した変倍率での変倍処理を、前記画像取得部が取得した画像データに対して行う変倍処理部とを備え、前記表示制御部は、前記変倍処理部が変倍処理を行った画像データを前記表示装置へ送出するようにしてあることを特徴とする。
【００１５】
本発明に係る表示制御装置は、前記表示装置に関する情報に対応付けて、前記表示装置の表示領域の大きさ及び前記表示領域に含まれる画素数を含む表示情報を記憶する表示情報記憶部と、前記表示装置に関する情報を取得する装置情報取得部と、該装置情報取得部が取得した情報に対応する表示情報を前記表示情報記憶部から取得する表示情報取得部とを備え、前記顔検出部は、前記画像中に存在する人の顔領域に含まれる画素を検出するようにしてあり、前記大きさ算出部は、前記表示情報取得部が取得した表示情報と、前記顔検出部が検出した画素の数とに基づいて、前記顔検出部が検出した顔領域を前記表示装置に表示させた場合の大きさを算出するようにしてあることを特徴とする。
【００１６】
本発明によれば、表示装置は、動画を表示する際に、動画に含まれる画像中に存在する人の顔領域を画像の中央部から順に検出し、顔領域を一つ検出した時点で、検出した顔領域を、略実物大の大きさに変倍するための変倍率を算出する。そして表示装置は、算出した変倍率での変倍処理を、表示すべき画像データに行った後、表示する。画像中の人の顔領域を略実物大で表示するための変倍率は、画像中の被写体を略実物大で表示するための変倍率にも利用できる。従って、変倍処理後の画像データに基づいて、人の顔領域が略実物大で表示されると共に、人の顔領域以外の画像中の被写体もそれぞれ略実物大で表示される。このように本発明の表示装置は、画像中の被写体を略実物大で表示するための変倍率を画像データに基づいて算出するので、略実物大で表示するために必要な付加情報を画像データに付加しておく必要がない。よって、外部から動画データを取得して表示するテレビジョン受信機及びモニタ装置等の一般的な表示装置において、画像中の被写体の略実物大での表示が可能となる。また、画像の中央に近い位置に存在する人の顔領域を基準として、画像中の各被写体をそれぞれ略実物大で表示することができる。
【００１７】
本発明によれば、表示装置は、人の顔の略実物大の大きさを予め記憶しており、画像中の顔領域の大きさと、記憶してある大きさとに基づいて変倍率を算出する。よって、人の顔を略実物大で表示する際の大きさを予め設定しておくことができると共に、画像中の人の顔を略実物大で表示するために要する変倍処理における変倍率を容易に算出できる。また、画像中の人の顔が略実物大で表示されるのに伴って、画像中の他の被写体もそれぞれ略実物大で表示させる。
【００１８】
本発明によれば、表示装置は、人の顔の略実物大の大きさを、性別及び／又は年齢層毎に記憶しており、画像中の人の性別及び／又は年齢層を検出し、画像中の顔領域の大きさと、検出した性別及び／又は年齢層に応じて記憶してある大きさとに基づいて変倍率を算出する。よって、画像中の人の顔を、該人の性別及び／又は年齢層に応じた大きさ（略実物大）で表示するために要する変倍処理における変倍率を容易に算出でき、より実物大に近い大きさでの表示が可能となる。
【００１９】
本発明によれば、変倍処理後の画像データが、画像から検出された人の顔領域が中央に位置する画像データとなり、検出された人の顔領域が中央に位置する画像を表示することができる。
【００２０】
本発明によれば、表示装置は、自装置の表示領域の大きさ及び表示領域に含まれる画素数を記憶している。表示装置は、画像中の人の顔領域に含まれる画素を検出し、検出した画素の数と、記憶してある表示領域の大きさ及び画素数とに基づいて、検出した人の顔領域を表示部に表示させた場合の表示領域の大きさを算出する。よって、表示装置の表示領域の大きさ及び表示領域に含まれる画素数を基準として、画像中の人の顔領域を表示部に表示させた場合の大きさを算出するので、複雑な処理を行うことなく、画像中の人の顔領域の大きさを精度良く検出できる。
【００２１】
本発明によれば、上述した表示装置を備えるテレビジョン受信機において、表示対象の動画に含まれるいずれかの画像中に人が存在すれば、その人の顔領域の大きさに基づいて、表示対象の各画像を略実物大で表示するための変倍率を算出し、表示対象の画像全体を略実物大で表示することが可能となる。
【００２２】
本発明によれば、動画データを取得し、表示装置へ送出して表示装置に表示させる表示制御装置において、表示装置で表示すべき動画に含まれるいずれかの画像中に人が存在すれば、その人の顔領域の大きさに基づいて、表示対象の画像中の各物体（被写体）を略実物大で表示するための変倍率を算出できる。よって、算出された変倍率に基づく変倍処理を画像データに行って表示装置へ送出することにより、表示対象の画像全体を略実物大で表示することが可能となる。
【００２３】
本発明によれば、表示制御装置は、表示装置のそれぞれに対応付けて、表示領域の大きさ及び表示領域に含まれる画素数を含む表示情報を記憶している。表示制御装置は、画像データの送出先の表示装置に対応する表示情報と、画像中の人の顔領域に含まれる画素数とに基づいて、前記顔領域を前記表示装置に表示させた場合の大きさを検出する。表示装置の表示領域の大きさ及び画素構成（ピクセル構成）が異なることにより、それぞれの表示装置に同一の画像を表示させた場合であっても、画像中の人の顔領域の表示画面上での大きさが異なる。よって、それぞれの表示装置の表示情報に基づいて、顔領域を各表示装置に表示させた場合の大きさを検出することにより、表示画面上の顔領域の大きさを精度よく算出できる。よって、このように算出した顔領域の大きさに基づいて、この顔領域を略実物大に変倍するための変倍率を精度よく算出できるので、表示対象の画像を略実物大で表示させることが可能となる。
【発明の効果】
【００２４】
本発明では、画像データに、画像中の被写体を略実物大で表示するために必要な付加情報を付加しておく必要がなく、取得した動画データに含まれる画像データに基づく処理のみによって、画像中の被写体を略実物大でそれぞれ表示することができる。
【図面の簡単な説明】
【００２５】
【図１】実施形態１に係るテレビジョン受信機の構成を示すブロック図である。
【図２】画像解析部、変倍率算出部及び変倍処理部が行う処理を説明するための模式図である。
【図３】テレビジョン受信機による実サイズ表示処理の手順を示すフローチャートである。
【図４】実施形態２に係るテレビジョン受信機の構成を示すブロック図である。
【発明を実施するための形態】
【００２６】
以下、本発明に係る表示装置、表示方法、テレビジョン受信機及び表示制御装置について、その実施形態を示す図面に基づいて詳述する。
【００２７】
（実施形態１）
以下に、実施形態１に係るテレビジョン受信機について説明する。
図１は、実施形態１に係るテレビジョン受信機の構成を示すブロック図である。なお、図１中に破線で示した矢符はデータの流れを示す。
【００２８】
本実施形態１のテレビジョン受信機１は、制御部１０、ＲＡＭ（Random Access Memory）１１、記憶部１２、画像入力部１３、画像解析部１４、変倍率算出部１５、変倍処理部１６、表示部１７及び操作部１８等を備える。これらの各部はバスを介して相互に接続されている。なお、画像解析部１４、変倍率算出部１５及び変倍処理部１６は、専用のハードウェア回路によって構成されてもよいし、制御部１０が記憶部１２に記憶されている所定の制御プログラムを実行することによって実現されるソフトウェア機能であってもよい。
【００２９】
制御部１０は、ＣＰＵ（Central Processing Unit）又はＭＰＵ（Micro Processor Unit）等である。制御部１０は、記憶部１２に記憶されている制御プログラムを適宜ＲＡＭ１１にロードして実行することにより上述のハードウェア各部を制御し、テレビジョン受信機１を、本発明に係る表示装置及びテレビジョン受信機として動作させる。
【００３０】
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種プログラムの実行時に発生する種々のデータを一時的に記憶する。
【００３１】
記憶部１２は、ＥＥＰＲＯＭ（Electrically Erasable and Programmable ROM）、フラッシュメモリ、ＨＤＤ（Hard Disk Drive）等の不揮発性メモリである。記憶部１２は、制御部１０が実行すべき制御プログラム及び各種データを予め記憶している。例えば、記憶部（表示情報記憶部）１２は、表示部１７の表示領域の大きさ、表示領域を構成する画素（ピクセル）の情報等を含む表示部情報を記憶している。また記憶部１２は、画像データに基づく画像中に人の顔が含まれているか否かを判定する顔認識処理に用いる顔情報データベース（以下、顔情報ＤＢという）を記憶している。更に記憶部１２は、各性別及び各年齢層のそれぞれの組み合わせ毎に、対応する性別及び年齢層の人の平均的な顔の大きさ（実サイズ、実物大）を示す実サイズ表示情報を記憶している。実サイズ表示情報は、人の顔領域を含む矩形状の領域の横方向及び縦方向の長さを示しており、例えば、Ｘｃｍ×Ｙｃｍ（横方向×縦方向）という情報である。また年齢層は、例えば、１０歳未満、１０代、２０代、３０代…等を用いることができる。
【００３２】
画像入力部（画像取得部）１３は、画像データ（映像データ）を記憶する録画再生装置、デジタルカメラ、デジタルビデオカメラ等から画像データを取得する。また画像入力部１３は、テレビジョン放送を受信するチューナ（受信部）を備える。更に画像入力部１３は、インターネット等のネットワークに接続され、ネットワークを介して画像データを取得する通信部を備えてもよい。画像入力部１３を介して入力された画像データは画像解析部１４及び変倍処理部１６へ送出される。なお、画像入力部１３を介して入力された画像データは記憶部１２へ送出されて記憶されてもよい。
【００３３】
図２は、画像解析部１４、変倍率算出部１５及び変倍処理部１６が行う処理を説明するための模式図であり、図２Ａは、画像入力部１３を介して入力された画像データに基づく画像（以下、入力画像ともいう）の例を示す。
画像解析部（顔検出部）１４は、画像入力部１３を介して入力された画像データに所定の解析処理を行い、まず、入力画像中に存在する人の顔領域を検出する。例えば、入力画像中に存在する人の正面から見た顔の領域を検出する構成とする。画像解析部（大きさ検出部）１４は、入力画像中に人の顔領域を検出した場合、検出した顔領域を表示部１７に表示させた場合の表示領域の大きさ（即ち、表示画面上での大きさ）を検出する。更に画像解析部（性別／年齢層検出部）１４は、検出した入力画像中の人の性別及び年齢層を検出する。
【００３４】
具体的には、例えば、顔情報ＤＢに、性別及び年齢層に対応付けて、人の顔を正面から撮影して得られる画像データに基づいて生成された顔画像パターンが登録してあり、画像解析部１４は、入力された画像データに対して、顔情報ＤＢに記憶してある顔画像パターンを用いたパターンマッチング処理を行う。画像解析部１４は、入力された画像データに、顔情報ＤＢに登録されている顔画像パターンのいずれかに一致するデータ（領域）があるか否かに応じて、画像データに人の顔領域が存在するか否かを判断する。入力された画像データに、いずれかの顔画像パターンに一致する領域がある場合、画像解析部１４は、画像データに人の顔領域が存在すると判断し、一致した顔画像パターンに対応付けられている性別及び年齢層を顔情報ＤＢから特定する。これにより、画像中に存在する人の性別及び年齢層を特定することができる。
【００３５】
顔画像パターンに一致する領域（データ）が顔領域となるので、画像解析部１４は、この領域を画素単位（ピクセル単位）で抽出する。具体的には、画像解析部１４は、顔領域であると検出された領域を矩形状で抽出し、この領域に含まれる画素数を計数する。図２Ｂは、検出された顔領域Ｒの例を示しており、図２Ｂに示す顔領域Ｒは、Ｈ画素×Ｖ画素（横方向×縦方向）の画素数を有する。次に画像解析部１４は、記憶部１２に記憶してある表示部情報を読み出し、表示部１７の表示領域の大きさ、表示領域を構成する画素数と、検出した顔領域Ｒに含まれる画素数とに基づいて、検出した顔領域Ｒの表示画面上での大きさを算出する。例えば、表示部１７の表示領域の大きさがＡｃｍ×Ｂｃｍ（横方向×縦方向）であり、表示領域を構成する画素数がＣ画素×Ｄ画素であった場合、検出した顔領域Ｒの表示画面上での大きさは、（Ａ×Ｈ／Ｃ）ｃｍ×（Ｂ×Ｖ／Ｄ）ｃｍと算出できる。
【００３６】
画像解析部１４は、上述した処理によって算出した顔領域Ｒの表示画面上での大きさと、入力画像中の人の性別及び年齢層とを変倍率算出部１５へ送出する。
なお、画像データから人の顔領域Ｒを抽出（認識）する処理、画像中の人の性別及び年齢層を検出する処理は、上述した処理に限らない。例えば、画像データ中に肌色領域があるか否かを検出し、肌色領域を検出できた場合、検出した肌色領域を人の顔領域とし、この肌色領域の大きさ及び形状に応じて、画像中の人の性別及び年齢層を判断してもよい。
【００３７】
変倍率算出部（算出部）１５は、画像解析部１４によって検出された入力画像中の人の顔領域を、表示部１７に実サイズに近い大きさで表示するために、画像入力部１３を介して入力された画像データに行うべき変倍処理（拡大処理又は縮小処理）における変倍率（拡大率又は縮小率）を算出する。まず変倍率算出部１５は、画像解析部１４によって検出された、入力画像中の人の性別及び年齢層に対応する実サイズ表示情報を記憶部１２から読み出す。これにより、変倍率算出部（特定部）１５は、入力画像中の人の顔領域を表示部１７に実サイズと同程度の大きさで表示する際の表示領域の大きさ（実サイズ）を特定する。
【００３８】
次に変倍率算出部１５は、画像解析部１４によって検出された、入力画像中の人の顔領域の大きさ（表示画面上での大きさ）と、記憶部１２から読み出した実サイズ表示情報とに基づいて、入力画像中の人の顔領域を実サイズに変倍するための変倍率を算出する。上述の例では、画像解析部１４が検出した顔領域の大きさは、（Ａ×Ｈ／Ｃ）ｃｍ×（Ｂ×Ｖ／Ｄ）ｃｍであり、記憶部１２から読み出した実サイズ表示情報が示す実サイズは、Ｘｃｍ×Ｙｃｍである。この場合、変倍率算出部１５は、横方向の変倍率として、Ｘ／（Ａ×Ｈ／Ｃ）、即ち、（Ｘ×Ｃ）／（Ａ×Ｈ）を算出し、縦方向の変倍率として、Ｙ／（Ｂ×Ｖ／Ｄ）、即ち、（Ｙ×Ｄ）／（Ｂ×Ｖ）を算出する。そして変倍率算出部１５は、算出した２つの変倍率に基づいて、後段の変倍処理部１６で用いる変倍率を決定する。例えば、変倍率算出部１５は、算出した２つの変倍率のうちで大きい方の変倍率を、変倍処理部１６で用いる変倍率に決定する。また、変倍率算出部１５は、算出した２つの変倍率のうちで小さい方の変倍率を、変倍処理部１６で用いる変倍率に決定してもよく、算出した２つの変倍率の平均値を算出し、算出した平均値を、変倍処理部１６で用いる変倍率に決定してもよい。変倍率算出部１５は、算出（決定）した変倍率を変倍処理部１６へ送出する。
【００３９】
変倍処理部１６は、変倍率算出部１５が算出した変倍率に基づく変倍処理を、画像入力部１３を介して入力された画像データに対して行う。なお、画像解析部１４は、入力画像中に人の顔領域を検出した場合、検出した顔領域の位置を示す情報を変倍処理部１６に通知しており、変倍処理部１６は、通知された顔領域を中央とする領域（入力画像データ）に対して変倍処理を行う。これにより、通知された顔領域を中央とする変倍処理後の画像データを得ることができる。変倍処理部１６は、変倍処理後の画像データを表示部１７へ送出する。
【００４０】
なお、顔領域の位置を示す情報は、例えば、入力画像の左上角を座標軸原点とし、左から右へ向かう方向をｘ軸正方向とし、上から下へ向かう方向をｙ軸正方向として、入力画像中の顔領域の左上角の座標値（ｘ軸座標値，ｙ軸座標値）と、顔領域のｘ軸方向の長さ又は画素数と、顔領域のｙ軸方向の長さ又は画素数とで表される。
【００４１】
変倍処理部１６は、拡大処理を行う場合、即ち、１よりも大きい変倍率での変倍処理を行う場合、元画像（入力画像）中の画素値に基づいて補間処理を行い、元画像（入力画像）中の画素間に補間画素を追加する。また、変倍処理部１６は、縮小処理を行う場合、即ち、１よりも小さい変倍率での変倍処理を行う場合、元画像（入力画像）中の画素を適宜間引く処理を行う。なお、縮小処理が行われた画像は、画像サイズが小さくなるので、表示部１７の表示領域よりも小さいサイズとなる。よって、変倍処理部１６は、縮小処理を行った場合、表示部１７の表示領域において、縮小処理された画像の外側の領域に黒画素、又は所定の画像データ（例えば壁紙データ）等を割り当てる処理を行う。
【００４２】
表示部１７は、液晶ディスプレイ、プラズマディスプレイ又は有機ＥＬ（Electro Luminescence）ディスプレイ等である。表示部１７は、制御部１０からの指示に従って各種の情報（画像）を表示する。表示部１７は、制御部（表示制御部）１０からの指示に従って、変倍処理部１６によって変倍処理された画像データに基づく画像を表示する。図２Ｃは、変倍処理後の画像データに基づく画像の例を示す。図２Ａに示す入力画像が、被写体が実サイズよりも小さいサイズで表示される画像である場合、画像解析部１４、変倍率算出部１５及び変倍処理部１６が所定の処理を行うことにより、図２Ｃに示すように拡大された画像が表示部１７に表示される。
【００４３】
操作部１８は、ユーザがテレビジョン受信機１を操作するために必要な各種の操作キーを備え、ユーザが操作した操作キーに基づく情報を受け付け、受け付けた情報を制御部１０へ送出する。本実施形態１のテレビジョン受信機１は、画像データを表示部１７に表示させる際に画像データに基づく画像中の被写体を実サイズ（実物大）と同程度のサイズで表示する実サイズ表示モードを備える。よって、操作部１８は、テレビジョン受信機１を実サイズ表示モードで動作させる指示を行うための実サイズ表示モードボタンを有する。なお、実サイズ表示モードボタンを備えず、操作部１８を適切に操作し、モード切替メニューを表示部１７に表示させ、モード切替メニューを介して実サイズ表示モードでの動作開始を指示するようにしてもよい。
【００４４】
なお、テレビジョン受信機１は、遠隔から操作するためのリモートコントロール装置から送信されてくるリモコン信号を受信する受信部を備えてもよい。受信部は、受信したリモコン信号を制御部１０へ送出し、制御部１０は、リモコン信号を解析し、リモコン信号に応じてテレビジョン受信機１の各部の動作を制御する。
【００４５】
以下に、本実施形態１のテレビジョン受信機１が行う実サイズ表示処理について説明する。図３は、テレビジョン受信機１による実サイズ表示処理の手順を示すフローチャートである。以下の処理は、テレビジョン受信機１において、ユーザが操作部１８に対して所定の操作を行い、実サイズ表示モードでの動作開始を指示した場合に行われる。
【００４６】
テレビジョン受信機１の制御部１０は、画像入力部１３を介して順次入力されてくる画像データ、又は記憶部１２から順次読み出される画像データに対して、画像解析部１４による解析処理を行う。画像解析部１４は、記憶部１２に記憶してある顔情報ＤＢに基づく顔認識処理により、画像データ中に人の顔領域が存在するか否かを検出する（Ｓ１）。画像解析部１４は、画像データ中に顔領域を検出できたか否かを判断しており（Ｓ２）、検出できないと判断した場合（Ｓ２：ＮＯ）、制御部１０は、ステップＳ９に処理を移行し、入力された画像データに基づく画像をそのまま表示部１７に表示させる（Ｓ９）。
【００４７】
顔領域を検出できたと判断した場合（Ｓ２：ＹＥＳ）、画像解析部１４は、顔領域を検出した人の性別及び年齢層を特定する（Ｓ３）。具体的には、画像解析部１４は、入力された画像データに含まれると判断した顔画像パターンに対応付けられている性別及び年齢層を顔情報ＤＢから取得する。次に画像解析部１４は、検出した顔領域に含まれる画素を抽出し（Ｓ４）、顔領域に含まれる画素数を計数する。画像解析部１４は、記憶部１２に記憶してある表示部情報と、計数した顔領域中の画素数とに基づいて、検出した顔領域の表示画面上での大きさを算出する（Ｓ５）。
【００４８】
次に制御部１０は、ステップＳ１で検出した顔領域を、実サイズと同程度の大きさに変倍処理するための変倍率を変倍率算出部１５にて算出する。まず変倍率算出部１５は、ステップＳ３で特定された性別及び年齢層に対応する実サイズ表示情報を記憶部１２から取得する（Ｓ６）。変倍率算出部１５は、ステップＳ５で算出した顔領域の大きさと、ステップＳ６で取得した実サイズ表示情報が示す実サイズとに基づいて、ステップＳ１で検出した顔領域を実サイズで表示するために必要な変倍処理における変倍率を算出する（Ｓ７）。
【００４９】
そして、制御部１０は、算出された変倍率に基づく変倍処理を、画像入力部１３を介して順次入力されてくる画像データ、又は記憶部１２から順次読み出される画像データに対して変倍処理部１６にて行う（Ｓ８）。制御部１０は、変倍処理部１６にて変倍処理された画像データを表示部１７へ送出し、表示部１７に表示させる（Ｓ９）。
【００５０】
制御部１０は、操作部１８を介して実サイズ表示処理の終了を指示されたか否かを判断しており（Ｓ１０）、終了を指示されたと判断した場合（Ｓ１０：ＹＥＳ）、処理を終了する。なお、制御部１０は、例えばユーザが操作部１８を介して実サイズ表示モードでの動作終了を指示した場合、又はテレビジョン受信機１の動作終了を指示した場合、実サイズ表示処理の終了を指示されたと判断する。
終了を指示されていないと判断した場合（Ｓ１０：ＮＯ）、制御部１０は、ステップＳ１に処理を戻し、画像入力部１３を介して順次入力されてくる画像データ、又は記憶部１２から順次読み出される画像データに対して、ステップＳ１〜Ｓ９の処理を繰り返す。
【００５１】
制御部１０は、上述した処理により、画像データから人の顔領域が検出される都度、変倍率を再計算し、逐次算出される変倍率を用いた処理により、画像中の被写体を実サイズと同程度のサイズで表示することができる。なお、制御部１０は、一旦変倍率が算出された後に画像データから人の顔領域が検出されなくなった場合、次に顔領域が検出されるまで、直近に算出した変倍率を用いた処理を行ってもよい。これにより、例えば動画データに実サイズ表示処理を行っている際に、動画データに含まれる一部の画像データに人の顔領域が含まれていない場合であっても、一旦算出された変倍率を用いた処理を継続できる。また、一連の動画データは、同一の倍率で撮像されていると推測されるので、一連の動作データについて、最初に算出された変倍率を用いた処理を行ってもよい。この場合、画像中の被写体を実サイズと同程度のサイズで表示できると共に、そのために必要な変倍率の算出処理が一度でよいので、処理の簡略化が可能となる。
【００５２】
本実施形態１のテレビジョン受信機１は、表示部１７に表示すべき画像中に人の顔領域が存在する場合、この顔領域が実サイズと同程度の大きさとなるように、画像を変倍処理して表示する。人の顔領域が実サイズと同程度の大きさとなるように変倍処理することにより、画像中の人の顔領域以外の物体（被写体）も実サイズと同程度の大きさに変倍処理される。よって、表示すべき画像内に含まれる全ての被写体を実サイズと同程度の大きさで表示できる。本実施形態１のテレビジョン受信機１は、表示対象の画像データに対する解析処理のみによって、画像データに対して行うべき変倍処理の変倍率を特定するので、画像データを実サイズで表示するための付加情報を画像データに付加しておく必要がない。従って、録画再生装置、デジタルカメラ、デジタルビデオカメラ等から取得した画像データ、テレビジョン放送に基づく画像データ（映像データ）、ネットワークを介してダウンロードした画像データ等を表示部１７で表示する際にも実サイズ表示を行える。即ち、画像データの送信側の装置は、表示装置で画像データを実サイズで表示させるために何の処理も行う必要がない。
【００５３】
本実施形態１のテレビジョン受信機１は、画像中の各被写体を実サイズと同程度の大きさで表示できるので、ユーザが視聴し易い画像の表示が可能となる。元画像をそのまま表示した場合に、被写体が実サイズよりも大きく表示される画像は、特にテレビジョン受信機１の近傍で視聴するユーザにとって見辛い画像となるが、このような画像を縮小して実サイズ程度で表示することにより、見易い画像を表示できる。近年、テレビ電話のように通話相手の撮像画像を表示しつつ通話を行うシステムが普及しつつあるが、このようなシステムにおいて、通話相手の顔の撮像画像を表示部１７全体に表示させた場合、非常に見辛い画像となる。このような場合、通話相手の顔の撮像画像を縮小して実サイズ程度で表示することにより、違和感のない画像を見ながら快適に通話を行うことができる。
また元画像をそのまま表示した場合に、被写体が実サイズよりも小さく表示される画像を拡大して実サイズ程度で表示することにより、見易い画像を表示できる。例えば、人の顔を拡大して表示した場合、顔の表情等も確認できる。
【００５４】
本実施形態１のテレビジョン受信機１は、各性別及び各年齢層のそれぞれの組み合わせ毎に、人の顔の平均的な大きさ（実物大）を記憶部１２に記憶しており、画像中の人の顔領域を、対応する大きさ（実物大）で表示できる。よって、性別及び年齢層に応じた違和感のない実物大での表示が可能となる。
また本実施形態１のテレビジョン受信機１では、変倍処理を行う際に、画像から検出された人の顔領域を中央とする領域を変倍処理するので、変倍処理後の画像の中央に、元画像中の人の顔領域を表示することができる。
【００５５】
本実施形態１のテレビジョン受信機１は、画像中の人の顔領域を表示部１７に表示させた場合の表示画面上での大きさを、画像中の顔領域に含まれる画素数と、表示部１７の表示領域の大きさ及び表示領域に含まれる画素数とに基づいて算出する構成である。しかし、画像中の人の顔領域の表示画面上での大きさの算出方法は、このような方法に限定されず、どのような方法を用いてもよい。
【００５６】
本実施形態１のテレビジョン受信機１は、性別及び年齢層に応じた顔画像パターンが登録してある顔情報ＤＢを用いた顔認識処理を行うことにより、画像中の人の顔を認識すると共に、画像中の人の性別及び年齢層も特定できる構成である。よって、特定された性別及び年齢層に応じた実サイズで顔領域を表示するための変倍率を算出し、算出した変倍率での変倍処理を画像に行うことにより、画像中の各被写体を実サイズで表示することができる。しかしながら、本発明の表示装置では、性別及び年齢層に応じた実サイズで顔領域を表示するための構成は必須要件ではない。例えば、画像データに対して顔認識処理を行って画像中に人の顔領域があるか否かを検出し、顔領域がある場合に、この顔領域を所定サイズに変倍処理するための変倍率を算出する構成でもよい。なお、この場合、画像データ中に肌色領域があるか否かを検出し、肌色領域を検出できた場合、検出した肌色領域を人の顔領域とし、この肌色領域を所定サイズに変倍処理するための変倍率を算出してもよい。
【００５７】
また、性別又は年齢層のいずれかに応じた顔画像パターンが登録してある顔情報ＤＢを用いた顔認識処理を行うことにより、画像中の人の顔を認識すると共に、画像中の人の性別又は年齢層を特定する構成でもよい。この場合にも、特定された性別又は年齢層に応じた実サイズで顔領域を表示するための変倍率を算出し、算出した変倍率での変倍処理を画像に行うことにより、画像中の各被写体を実サイズで表示することができる。
【００５８】
本実施形態１のテレビジョン受信機１において、顔情報ＤＢを用いた顔認識処理（パターンマッチング処理）を行う際に、画像データに基づく画像の中央部から順に人の顔領域が有るか否かを検出してもよい。これにより画像の中央に近い位置に存在する人の顔領域に基づいて、この顔領域を略実物大に変倍するための変倍率が算出でき、また変倍処理後の画像データに基づいて、画像中の人の顔領域が中央に位置する画像を表示できる。この場合、画像中に複数の人が存在する場合であっても、画像の中央に近い位置の人の顔領域を基準とした処理を行うことができる。また、画像中に複数の人が存在する場合に、顔領域が最も大きい人の顔領域に基づいて、この顔領域を略実物大に変倍するための変倍率を算出し、各種の処理を行うようにしてもよい。
【００５９】
（実施形態２）
以下に、実施形態２に係るテレビジョン受信機１について説明する。図４は、実施形態２に係るテレビジョン受信機の構成を示すブロック図である。本実施形態２のテレビジョン受信機１は、上述の実施形態１のテレビジョン受信機１において、表示部１７が別体で構成されており、表示部１７と、表示部１７以外の各部を有する本体部１ａとを備える。なお、本体部１ａは、外部の表示部１７に接続され、画像データを表示部１７へ送出する表示制御部１９を有する。このような構成により、本体部１ａは、画像データを取得し、取得した画像データを外部の表示部１７へ送出して表示部１７に表示させる表示制御装置として機能する。なお、本体部１ａが備える各部及び表示部１７は、上述の実施形態１のテレビジョン受信機１と同様の構成であり、詳細な説明を省略する。
【００６０】
上述した構成の本実施形態２のテレビジョン受信機１は、実施形態１のテレビジョン受信機１が行う実サイズ表示処理と同様の処理の実行が可能である。具体的には、本実施形態２のテレビジョン受信機１も、図３のフローチャートに示した処理と同様の処理を行う。なお、本実施形態２のテレビジョン受信機１では、図３中のステップＳ９において、制御部１０は、変倍処理部１６にて変倍処理された画像データを表示制御部１９から表示部１７へ送出し、表示部１７に表示させる。なお、その他の処理は、実施形態１のテレビジョン受信機１の各部が行う処理と同様であるので説明を省略する。
【００６１】
本実施形態２のテレビジョン受信機１において、表示部１７は本体部１ａに対して別体であるので適宜変更が可能である。即ち、表示部１７（表示装置）のみを購入して接続し直すことが可能である。よって、本実施形態２のテレビジョン受信機１は、本体部１ａに異なる表示部１７が接続された場合であっても実サイズ表示処理が行えるように構成してある。具体的には、本体部１ａの記憶部１２には、表示部１７を識別するための識別情報（表示装置に関する情報）に対応付けて、表示部１７の表示領域の大きさ及び表示領域を構成する画素の情報（画素数）等を含む表示部情報（表示情報）が記憶してある。なお、識別情報として、例えば表示部１７（表示装置）の型番を用いることができる。また、記憶部１２に記憶してある表示部情報は、予め記憶してあるものだけでなく、インターネット等のネットワークを介してダウンロードしたものであってもよい。
【００６２】
そして、本体部１ａの制御部（装置情報取得部）１０は、画像解析部１４によって画像中の人の顔領域の表示画面上の大きさを算出する際に、表示制御部１９を介して接続されている表示部１７から、表示部１７の識別情報を取得する。なお、表示部１７の識別情報は、表示部１７が表示制御部１９に接続された時点で表示部１７から本体部１ａへ送出され、記憶部１２に記憶されていてもよい。また制御部（表示情報取得部）１０は、表示部１７の識別情報に対応する表示部情報を記憶部１２から取得して画像解析部１４へ送出する。
【００６３】
画像解析部１４は、画像入力部１３を介して入力された画像データに基づいて、入力画像中の人の顔領域を検出し、顔領域に含まれる画素数を算出し、算出した画素数と、記憶部１２から読み出された表示部情報（表示部１７の表示領域の大きさ、表示領域を構成する画素数）とに基づいて、検出した顔領域の表示画面上での大きさを算出する。このような構成により、本体部１ａに接続される表示部１７が異なる場合であっても、それぞれの表示部１７に応じて、入力画像中の顔領域の表示画面上での大きさを適切に算出できる。なお、上述した処理は、図３中のステップＳ５で行われる。
【００６４】
本実施形態２においても、上述した実施形態１で得られる効果と同様の効果が得られる。また本実施形態２のテレビジョン受信機１においても、上述した実施形態１で説明した変形例と同様の変形例の適用が可能である。
【００６５】
上述した各実施形態１，２では、本発明の表示装置及び表示制御装置をテレビジョン受信機１に適用した構成を例に説明した。本発明の表示装置は、外部から取得した画像データを表示する表示部を有する装置であればテレビジョン受信機１に限らず、例えばモニタ装置にも適用できる。また本発明の表示制御装置は、表示装置に有線接続又は無線接続可能であり、外部から取得した画像データを表示装置へ送出する構成を有する装置であればテレビジョン受信機１に限らず、どのような装置にも適用できる。
【００６６】
以上、本発明の好適な実施形態について具体的に説明したが、各構成及び動作等は適宜変更可能であって、上述の実施形態に限定されることはない。
【符号の説明】
【００６７】
１  テレビジョン受信機（表示装置）
１０  制御部（表示制御部）
１２  記憶部（表示情報記憶部）
１３  画像入力部（画像取得部）
１４  画像解析部（顔検出部、大きさ検出部、性別／年齢層検出部）
１５  変倍率算出部（算出部）
１６  変倍処理部
１７  表示部
１９  表示制御部
【図１】
0005460793.tif 000002
【図２】
0005460793.tif 000003
【図３】
0005460793.tif 000004
【図４】
0005460793.tif 000005